(57)【要約】      （修正有）【課題】重量を分散させて持ち運びを容易にし、またテントの脚柱に使い勝手良くかつ安定して確実に固着して使用できるテントのウエイトを提供する。【解決手段】少なくとも二つの同一のウエイト袋１０、１１０と、該ウエイト袋のそれぞれに水平に固着された同一の固着ベルト１８、１１８とを有し、前記ウエイト袋における対応する前記固着ベルトの固着高さ位置が少なくとも前記固着ベルトの幅だけ高さ方向にずれていることを特徴としてテントのウエイトを形成する。【選択図】図７
0003181303.tif 000002
【実用新案登録請求の範囲】
【請求項１】
少なくとも二つの同一のウエイト袋と、該ウエイト袋のそれぞれに水平に固着された同一の固着ベルトとを有し、前記ウエイト袋における対応する前記固着ベルトの固着高さ位置が少なくとも前記固着ベルトの幅だけ高さ方向にずれていることを特徴とするテントのウエイト。
【請求項２】
前記ウエイト袋が、二重になっていて、両者が互いに分離可能であることを特徴とする請求項１に記載のテントのウエイト。
【請求項３】
前記固着ベルトが、バックル付きの帯状部材であることを特徴とする請求項１に記載のテントのウエイト。
【請求項４】
前記固着ベルトが、紐であることを特徴とする請求項１に記載のテントのウエイト。
【考案の詳細な説明】
【技術分野】
【０００１】
本考案は、テントのウエイト、さらに詳しくは、テントの脚柱を地面等に容易にかつ確実に固定できるテントのウエイトに関する。
【背景技術】
【０００２】
テントの脚柱部を地面等に固定するために、脚柱部を地面等に打ち込んだ杭に縛り付ける等して固定していたことがあった。しかし、地面等がコンクリートやアスファルト等で被われていたり、板床であったりして、地面等に杭孔を作ることが不可能であったり好ましくない場合がある。このような状況から、現在は地面等にウェイトを置き、テントの脚柱部を該ウエイトに固着することが行われている。
【０００３】
従来技術のテントのウエイトとしては、布袋にフックと把手を取り付け、その布袋に水袋を挿入できるようにしたテント用の重り袋が提案されている（例えば、特許文献１参照）。
他の従来のテントのウエイトとして、小石、砂、水等の不定形重量物が出し入れ可能な開閉式の物出入部と、上部にテント設営用張り綱を離脱可能に繋留する綱繋留部を有する袋部材を主体とし、物出入部から袋部材内に不定形重量物を入れて袋部材を地上に置いたときの重量で綱繋留部に繋留された張り綱を地上に止め置くようにしたテント張り綱固定装置が提案されている（例えば、特許文献２参照）。
他の従来のテントのウエイトとして、防水性帆布を以て構成した密閉型の嚢体と、嚢体の壁面に設けた注排水用栓と、注排水用栓のキャップの閉止状態保持装置と、嚢体の外周面に巻き止めたスレ補強布と、スレ補強布に設けたベルト通し環と、ベルト通し環に通して提手やショルダあるいは縛り付け部材等として用いる連結用バックル付き付属ベルトとを備えたテント用ウエイトが提案されている（例えば、特許文献３参照）。
【先行技術文献】
【特許文献】
【０００４】
【特許文献１】実用新案登録第３０５４８４３号公報
【特許文献２】特開平０９−１２５７４８号公報
【特許文献３】実用新案登録第３１１８８２０号公報
【考案の概要】
【考案が解決しようとする課題】
【０００５】
特許文献１に開示されたテント用の重り袋は、布袋と水袋が別体であるから、水の充填が容易である。しかし、重り袋としては一体であるから、重量の大きな重り袋の場合はその重量を分散させることができず、取り扱いが困難である。複数の重り袋を一本の綱繋留部に繋げることについての示唆もそのための配慮もない。
【０００６】
引用文献２のテント張り綱固定装置は、小石、砂、水等を入れる袋部材に綱繋留部を設けているから、袋部材を所定に配置した後に小石、砂、水等を入れることができ使い勝手が良い。しかし、複数のテント張り綱固定装置を繋げて一本の綱繋留部とすることの示唆も配慮もしていない。
【０００７】
引用文献３の屋形テントウエイトは、防水性帆布を以て構成した密閉型の嚢体と、嚢体の壁面に設けた注排水用栓と、注排水用栓のキャップの閉止状態保持装置と、嚢体の外周面に巻き止めたスレ補強布と、スレ補強布に設けたベルト通し環と、ベルト通し環に通して提手やショルダあるいは縛り付け部材等として用いる連結用バックル付き付属ベルトと、を備えている。従って、引用文献３の屋形テントウエイトは、耐久性が高く、形状も水充填によって変形せず使い勝手も良い。複数の屋形テントウエイトを一本のテント脚柱に固定することも可能であるが、そのような使い方の示唆はなく、仮にそのように使用すれば、スレ補強布が干渉し合ってテント脚注への屋形テントウエイトの縛り付けが困難であるという問題がある。
【０００８】
（考案の目的）
本考案は、従来技術のテントのウエイトに関する上述した問題に鑑みてなされたものであって、重量を分散させて持ち運びを容易にし、またテントの脚柱に使い勝手良くかつ安定して確実に固着して使用できるテントのウエイトを提供することを目的とする。
【課題を解決するための手段】
【０００９】
本考案は、
少なくとも二つの同一のウエイト袋と、該ウエイト袋のそれぞれに水平に固着された同一の固着ベルトとを有し、前記ウエイト袋における対応する前記固着ベルトの固着高さ位置が少なくとも前記固着ベルトの幅だけ高さ方向にずれていることを特徴とするテントのウエイト
である。
【考案の効果】
【００１０】
本考案のテントのウエイトによれば、一本のテント脚柱に一定総重量のテントのウエイトを設定するとき、その一定総重量を複数のウエイト袋に分散させることができ、持ち運びや設置が容易である効果がある。また、分散されたウエイト袋を固着ベルトによってテント脚柱に固着するとき、固着ベルトが互いに干渉せず、すなわち固着ベルトが捩れたり急角度で曲げられて、固着ベルトがテント脚柱にぴったり巻き付かないということを避けることができる。また、同じく固着ベルトが互いに干渉しないことによって、一つのウエイト袋を除いて他のウエイト袋の底部が部分的に地面等から持ち上ったり、ウエイト袋が傾いて設置されるという醜いそしてテントのウエイトとして好ましくない状況になることを防ぐことができる。
【００１１】
（考案の実施態様）
前記ウエイト袋が、二重になっていて、両者が互いに分離可能であることを特徴とする。
前記固着ベルトが、バックル付きの帯状部材であることを特徴とする。
前記固着ベルトが、紐であることを特徴とする。
【図面の簡単な説明】
【００１２】
【図１】折り畳んだ状態の実施形態のテントのウエイトの第１ウエイト袋の正面図である。
【図２】折り畳んだ状態の実施形態のテントのウエイトの第１ウエイト袋の背面図である。
【図３】折り畳んだ状態の実施形態のテントのウエイトの第２ウエイト袋の正面図である。
【図４】折り畳んだ状態の実施形態のテントのウエイトの第２ウエイト袋の背面図である。
【図５】折り畳んだ状態の実施形態のテントのウエイトの水袋の正面図である。
【図６】使用するために押し広げた状態の実施形態のテントのウエイトの第１ウエイト袋の左下前方から見た斜視図である。
【図７】２個の実施形態のテントのウエイトを一本のテント脚柱に固着した状態を示す斜視図である。
【考案を実施するための形態】
【００１３】
以下に、本考案の実施形態のテントのウエイトを、図面に基づいて説明する。
テントのウエイト１は、図７に示すように、少なくとも二つのウエイト袋、すなわち第１ウエイト袋１０及び第２ウエイト袋１１０を有する。
【００１４】
第１ウエイト袋１０は、図１及び図２に示すように、耐水性帯状シート部材の長手方向へ延びた両縁部を縫い合わせあるいは貼り合わせて形成した筒状部材１２を潰して、平面状にする。平面状の筒状部材１２の一端部を、長手方向と直交する方向に縫い合わせあるいは貼り合わせて底部１４を形成して、袋状にする。さらに、底部１４の一対の隅部１６であって平面状の筒状部材１２の中央部分にある該隅部１６を、底部１４に縫い付けあるいは貼り付ける。底部１４には、水抜き用の水抜き小穴１７が設けられる。
【００１５】
筒状部材１２には、筒状部材１２をテントの脚柱３００（図７参照）に固着するための二つの固着ベルト１８が縫い付けあるいは貼り付けられる。固着ベルト１８は、耐久性の高い帯状部材で作られ、一端にバックル２０を有する。
筒状部材１２の上端部には、一対の紐穴２２が設けられている。紐穴２２は、筒状部材１２と後述する水袋２００とを一体化するための紐２１０が貫通する。
【００１６】
第２ウエイト袋１１０は、図３及び図４に示すように、第１ウエイト袋１０と略同一の構成を有する。図３及び図４において、第２ウエイト袋１１０は、第１ウエイト袋１０と同一の部材を１００番台の同一の符号によって示される。
第１ウエイト袋１０と第２ウエイト袋１１０の差異は、両者の固着ベルト１８の縫い付けあるいは貼り付けの高さ位置が異なることである。すなわち、第２ウエイト袋１１０の固着ベルト１１８は、第１ウエイト袋１０の固着ベルト１８の高さ位置よりも固着ベルト１８、１１８の幅だけ低い位置に縫い付けあるいは貼り付けられている。
【００１７】
第１ウエイト袋１０と第２ウエイト袋１１０の中には、水袋２００が入れられる。水袋２００は、図５に示すように、ビニール等の合成樹脂製の袋であって、第１ウエイト袋１０と第２ウエイト袋１１０に隙間無く収容できるように寸法決めされている。水袋２００の上端部は、剛性を高めるために折り返し部２２０が形成されている。折り返し部２２０には、水等を収容したときの持ち運びを容易にするための強化枠２３０付き開口２４０が設けられている。強化枠２３０付き開口２４０はまた、水袋２００と第１ウエイト袋１０または第２ウエイト袋１１０とを一体化しかつ水袋２００の上方開口部を塞ぐための紐２１０が貫通する。
【００１８】
第１ウエイト袋１０を使用するために押し広げると、図６に示すように、全体として矩形であって、一側面の上下２カ所に固着ベルト１８が固着された状態になる。第１ウエイト袋１０の上端部には、水袋２００を入れるための開口３０が形成される。
【００１９】
テントのウエイト１０の使用方法は、図７に示すように、複数の水袋２００に、水、状況によっては砂あるいは小石を入れる。水等を入れた水袋２００を第１ウエイト袋１０及び第２ウエイト袋１１０のそれぞれに入れる。水袋２００を入れた第１ウエイト袋１０及び第２ウエイト袋１１０を、一本のテント脚柱３００の周囲に配置し、固着ベルト１８、１１８によって第１ウエイト袋１０及び第２ウエイト袋１１０をテント脚柱３００に固着する。このとき、第１ウエイト袋１０の固着ベルト１８及び第２ウエイト袋１１０の固着ベルト１１８の高さが異なるため、両固着ベルト１８、１１８をテント脚柱３００に容易にかつしっかりと締め付けることができる。第１ウエイト袋１０及び第２ウエイト袋１１０をテント脚柱３００から取り外すときも同様の効果を得ることができる。
【００２０】
上述した実施形態においては、水袋を使用したが、ウエイト袋に直接水、砂あるいは小石を入れるようにしても良い。また、一本のテント脚柱に３つ以上のテントのウエイトを固着することも可能である。
【符号の説明】
【００２１】
１                テントのウエイト
１０              第１ウエイト袋
１１０            第２ウエイト袋
１２，１１２      筒状部材
１４，１１４      底部
１６，１１６      隅部
１７，１１７      水抜き小穴
１８，１１８      固着ベルト
２０．１２０      バックル
２２，１２２      紐穴
３０              開口
２００            水袋
２１０            紐
２２０            折り返し部
２３０            強化枠
２４０            強化枠付き開口
３００            テント脚柱
【図１】
0003181303.tif 000003
【図２】
0003181303.tif 000004
【図３】
0003181303.tif 000005
【図４】
0003181303.tif 000006
【図５】
0003181303.tif 000007
【図６】
0003181303.tif 000008
【図７】
0003181303.tif 000009